(57)【特許請求の範囲】
【請求項１】
機械の操作装置であるコントローラ（１）のスティック（２）の頭部（３）に着脱可能に取り付けることで、スティック（２）の操作高さ（H）を変更するための後付操作具であって、
前記スティック（２）の頭部（３）に対して着脱可能に装着される取付基部（１１）と、
この取付基部（１１）から、前記スティック（２）の軸線方向上方（Ｕ）に伸び、外周に雄ネジ（１２ｓ）を有するロッド部（１２）と、
このロッド部（１２）の先端部（１２ｃ）にネジ結合される操作部（１３）と、
を備えたことを特徴とするコントローラスティック用後付操作具。
【請求項２】
請求項１において、
前記取付基部（１１）と操作部（１３）との間には、前記ロッド部（１２）にネジ結合しかつ操作部（１３）の下面（１３ｄ）と当接することで、ロッド部（１２）に対する操作部（１３）の位置決めおよび固定を行う位置決めナット（１４）が設けられていることを特徴とするコントローラスティック用後付操作具。
【請求項３】
請求項２において、
前記位置決めナット（１４）の厚さ（Ｔ１）は、操作部（１３）の厚さ（Ｔ２）よりも薄いことを特徴とするコントローラスティック用後付操作具。
【請求項４】
請求項２または３において、
前記位置決めナット（１４）の直径（Ｄ２）は、前記操作部（１３）の最大径（Ｄ３）より小さく、前記操作部（１３）の位置決めナット（１４）との接触面（１４ｄ）の直径（Ｄ１）よりも大きいことを特徴とするコントローラスティック用後付操作具。
【発明の詳細な説明】
【技術分野】
【０００１】
本発明は、コントローラスティック用後付操作具に関するものである。より詳しくは、機械の操作装置であるコントローラ、主として、ゲーム機のコントローラのスティックに後付けして操作高さを調整できるようにするコントローラスティック用後付操作具に関するものである。
【背景技術】
【０００２】
本願発明者は、すでに、非特許文献１に見られるように、また、本願の図７に示すように、
ゲーム機用コントローラ１のスティック２の頭部３に着脱可能に取り付けることで、スティックの操作高さを変更することができる後付操作具５を市場に提供している。
【０００３】
この後付操作具５は、スティック２の頭部３に対してスティック２の軸線方向上方から着脱可能に装着される取付基部５ｂと、
この取付基部５ｂから、前記軸線方向上方に伸びるロッド部５ｒと、
このロッド部５ｒの先端部に設けられた操作部５ｈと、
を備えている。
【０００４】
このコントローラスティック用後付操作具５によれば、スティック２の頭部３に装着することによって、スティック２の操作高さを変えることができる。
【０００５】
また、図７（ｃ）に示すように、後付操作具５の頭部５ｈに対して着脱可能な、厚さ（高さ）の異なる複数のリング６を用意することによって、さらにスティック２の操作高さを変えることができる。
【０００６】
しかし、上述した従来のコントローラスティック用後付操作具では、段階的な操作高さの選択は可能であるものの、ユーザーが希望する任意の操作高さに調整することは困難である。
【０００７】
なお、特許文献１には、「指１本で操作可能な小型ジョイスティックに設けられる操作桿を掌で操作する場合に、微妙な移動方向や移動量の調整が容易で、操作性の優れた、新規な操作桿カバーを提供する」ことを課題とし、「操作桿の軸方向に沿って延びる柱状部と、柱状部の下端部に形成されかつ操作桿の頭部に装着される装着部と、柱状部の上端部に形成され使用者の掌と当接した状態で吸着する吸盤部を備える」操作桿カバー（同文献要約欄）が記載されている。
【０００８】
しかしこのものも、ユーザーが希望する任意の高さに調整することは困難である。
【先行技術文献】
【特許文献】
【０００９】
【特許文献１】特開２０００−３０６４４８号公報
【非特許文献】
【００１０】
【非特許文献１】”Ａｍａｚｏｎ｜GAIMコントローラスティック用後付操作具 RAISコントローラスティック用後付操作具 エイムリングと併用可 エイムフリーク PS4 PCパッドに使用可 国内正規品”    インターネット＜ＵＲＬ：https://www.amazon.co.jp/dp/B07QHQSVQP＞
【発明の概要】
【発明が解決しようとする課題】
【００１１】
本発明が解決しようとする課題は、コントローラスティックの操作高さを所定の範囲でユーザーが希望する任意の高さに調整することができるコントローラスティック用後付操作具を提供することである。
【課題を解決するための手段】
【００１２】
上記課題を解決するために本発明のコントローラスティック用後付操作具は、
機械の操作装置であるコントローラのスティックの頭部に着脱可能に取り付けることで、スティックの操作高さを変更するための後付操作具であって、
前記スティックの頭部に対して着脱可能に装着される取付基部と、
この取付基部から、前記スティックの軸線方向上方に伸び、外周に雄ネジを有するロッド部と、
このロッド部の先端部にネジ結合される操作部と、
を備えたことを特徴とする。
【００１３】
このコントローラスティック用後付操作具は、機械の操作装置であるコントローラのスティックの頭部に取付基部を取り付けて装着することで、スティックの操作高さを変更することができる。
【００１４】
そして、取付基部には、この取付基部からスティックの軸線方向上方に伸び、外周に雄ネジを有するロッド部が設けられ、このロッド部の先端部に、操作部がネジ結合されているので、ロッド部に対して操作部を軸線回りに回動させることで、操作部のロッド部に対する位置を調整し、これによって、操作部の高さを調整することができる。
調整可能な範囲は、操作部のロッド部に対するネジ結合可能な範囲である。
【００１５】
以上のように、このコントローラスティック用後付操作具によれば、コントローラスティックの操作高さを所定の範囲（操作部のロッド部に対するネジ結合可能な範囲）でユーザーが希望する任意の高さに調整することができる。
【００１６】
このコントローラスティック用後付操作具においては、
前記取付基部と操作部との間には、前記ロッド部にネジ結合しかつ操作部の下面と当接することで、ロッド部に対する操作部の位置決めおよび固定を行う位置決めナットが設けられている構成とすることができる。
【００１７】
このように構成すると、ロッド部に対する操作部の位置を決めて固定できるので、操作性が安定する。
【００１８】
このコントローラスティック用後付操作具においては、
前記位置決めナットの厚さは、操作部の厚さよりも薄い構成とすることができる。
【００１９】
このように構成すると、位置決めナットによって操作部の操作性を安定化させることができると同時に、操作部のロッド部に対するネジ結合可能な範囲を長くし、コントローラスティックの操作高さの調整範囲を大きくすることができる。
【００２０】
このコントローラスティック用後付操作具においては、
前記位置決めナットの直径は、前記操作部の最大径より小さく、前記操作部の位置決めナットとの接触面の直径よりも大きい構成とすることができる。
このように構成すると、位置決めナットによって操作部の操作性を安定化させることができると同時に、次のような効果が得られる。
位置決めナットの直径が操作部の最大径より小さいため、位置決めナットが設けられているにもかかわらず、位置決めナットが操作の邪魔になりにくい。
しかも、位置決めナットの直径は、操作部の位置決めナットとの接触面の直径よりも大きいので、位置決めナットを操作しやすい。
【図面の簡単な説明】
【００２１】
【図１】本発明に係るコントローラスティック用後付操作具の実施の形態の断面図（図２（ａ）における１−１断面図）。
【図２】同実施の形態を示す図で、（ａ）は平面図、（ｂ）は正面図、（ｃ）は左側面図、（ｄ）は右側面図、（ｅ）は背面図、（ｆ）は底面図。
【図３】同実施の形態を示す図で、（ａ）は正面図、（ｂ）は斜め上方から見た斜視図、（ｃ）は斜め下方から見た斜視図。
【図４】同実施の形態を示す図で、（ａ）は分解正面図、（ｂ）は斜め上方から見た分解斜視図、（ｃ）は斜め下方から見た分解斜視図。
【図５】変形例を示す図で、（ａ）は正面図、（ｂ）は斜め上方から見た斜視図、（ｃ）は斜め下方から見た斜視図。
【図６】銅片敬礼を示す図で、（ａ）は分解正面図、（ｂ）は斜め上方から見た分解斜視図、（ｃ）は斜め下方から見た分解斜視図。
【図７】（ａ）（ｂ）（ｃ）は従来例の説明図。
【発明を実施するための形態】
【００２２】
以下、本発明に係るコントローラスティック用後付操作具の実施の形態について図面を参照して説明する。なお、各図において、同一部分ないし相当する部分には、同一の符号を付してある。
【００２３】
図１〜図４（主として図１）に示すように、この実施の形態のコントローラスティック用後付操作具１０は、
機械の操作装置であるコントローラ１のスティック２の頭部３（図１）に着脱可能に取り付けることで、スティック２の操作高さHを変更するための後付操作具であって、
スティック２の頭部３に対して着脱可能に装着される取付基部１１と、
この取付基部１１から、スティック２の軸線方向上方（図１において矢印Ｕ方向）に伸び、外周に雄ネジ１２ｓを有するロッド部１２と、
このロッド部１２の先端部１２ｃにネジ結合される操作部１３と、
を備えている。
【００２４】
例えば図１に示すように、このコントローラスティック用後付操作具１０は、機械の操作装置であるコントローラ（例えばゲーム機用コントローラ）１のスティック２の頭部３に取付基部１１を取り付けて装着することで、スティック２の操作高さHを変更することができる。コントローラ１自体のスティック２の操作高さをＨ１で示す。
【００２５】
取付基部１１には、この取付基部１１からスティック２の軸線方向上方に伸び、外周に雄ネジ１２ｓを有するロッド部１２が設けられ、このロッド部１２の先端部１２ｃに、操作部１３がネジ結合されているので、ロッド部１２に対して操作部１３を軸線回りに回動させることで、操作部１３のロッド部１２に対する軸線方向の位置を調整し、これによって、操作部１３の高さＨを調整することができる。
【００２６】
調整可能な範囲は、操作部１３のロッド部１２に対するネジ結合可能な範囲である。
図１に示すものの場合、調整可能な範囲は略Ａで示す範囲である。
【００２７】
以上のように、このコントローラスティック用後付操作具によれば、コントローラスティック２の操作高さHを所定の範囲（操作部１３のロッド部１２に対するネジ結合可能な範囲）でユーザーが希望する任意の高さに調整することができる。
【００２８】
取付基部１１と操作部１３との間には、ロッド部１２にネジ結合しかつ操作部１３の下面１３ｄと当接することで、ロッド部１２に対する操作部１３の位置決めおよび固定を行う位置決めナット１４が設けられている。
【００２９】
このように構成すると、ロッド部１２に対する操作部１３の位置を位置決めナット１４で決めて固定できるので、操作性が安定する。
仮に、位置決めナット１４が設けられていないとしたならば、操作部１３の操作で操作部１３がロッド部１２回りに回動して操作高さが変動してしまうおそれがある。
これに対し、位置決めナット１４を設けることで、ロッド部１２に対する操作部１３の位置を固定できるので、操作性が安定する。
【００３０】
位置決めナット１４の厚さＴ１は、操作部１３の厚さＴ２よりも薄くする。
【００３１】
このように構成すると、位置決めナット１４によって操作部１３の操作性を安定化させることができると同時に、操作部１３のロッド部１２に対するネジ結合可能な範囲を長くし、コントローラスティック２の操作高さHの調整範囲を大きくすることができる。
【００３２】
図４（ａ）に示すように、位置決めナット１４の直径Ｄ２は、操作部１３の最大径Ｄ３より小さく、操作部１３の位置決めナット１４との接触面１４ｄの直径Ｄ１よりも大きくする。
【００３３】
このように構成すると、位置決めナット１４によって操作部１３の操作性を安定化させることができると同時に、次のような効果が得られる。
【００３４】
位置決めナット１４の直径Ｄ２が操作部１３の最大径Ｄ３より小さいため、位置決めナット１４が設けられているにもかかわらず、図１〜図３からも分かるように、位置決めナット１４が操作の邪魔になりにくい。
しかも、位置決めナット１４の直径Ｄ２は、操作部１３の位置決めナット１４との接触面の１３ｄ直径Ｄ１よりも大きいので、位置決めナット１４を操作しやすい。
【００３５】
取付基部１１は、スティック２の軸線方向上方からスティック２の頭部３に嵌め合わせることで装着可能な円板状のものであり、円周部から下方に伸びる複数（図１のものは３つ）の爪（フック）１１ｆでスティック２の頭部３を把持することで着脱可能に取り付けられる。
【００３６】
この実施の形態のロッド部１２は、取付基部１１と一体に構成されているが別体で構成することもできる。
ロッド部１２を取付基部１１と別体で構成した場合、ロッド部１２は取付基部１１に対してネジ結合で着脱可能に取り付ける。
【００３７】
ロッド部１２の高さは適宜設定できる。
ロッド部１２の高さを異にする複数の取付基部１１を用意することで、ユーザーが好みの高さのものを選択して利用することができるようにすることができる。
【００３８】
ロッド部１２を取付基部１１と別体に構成した場合には、高さ（長さ）の異なる複数のロッド部１２を用意することで、ユーザーが好みの高さのものを選択して取付基部１１にネジ結合して利用することができるようにする。
【００３９】
操作部１３は、ロッド部１２の先端部１２ｃにネジ結合可能な構造で、かつユーザーの手指による操作が可能な形状であれば、適宜の形状のものを採用することができる。
【００４０】
図１に示す操作部１３は、上部が下方に凹んだ凹状の円板状となっているが、例えば、図５，図６に示すように、上部が上方に膨らんだ円板状とすることもできる。
その他、図示はしないが球形等、適宜の形状とすることができる。
【００４１】
操作高さＨの調整可能な範囲Ａは、操作部１３のロッド部１２に対するネジ結合可能な範囲を変えることで変更することができる。
【００４２】
例えば、操作部１３の雌ネジ穴１３ｓ（図１，図４（ｃ））の深さを変えることで変更することができる。
【００４３】
例えば、図５，図６に示したように、操作部１３を、上部が上方に膨らんだ円板状とすることにより、雌ネジ穴１３ｓの深さを長くしやすくなる。
【００４４】
また、図１に示す雌ネジ穴１３ｓは、非貫通穴であるが、これを貫通穴とし、ロッド部１２の先端部１２ｃが、操作の邪魔にならない範囲で操作部１３の上面に露出するようにすることもできる。
【００４５】
位置決めナット１４は、ロッド部１２にネジ結合しかつ操作部１３の下面１３ｄと当接することで、ロッド部１２に対する操作部１３の位置決めおよび固定を行うことができる構造のものであれば任意の形状のものを採用できるが、前述したように、厚さＴ１は、操作部１３の厚さＴ２よりも薄くし、直径Ｄ２は、操作部１３の最大径Ｄ３より小さく、操作部１３の位置決めナット１４との接触面１４ｄの直径Ｄ１よりも大きくすることが望ましい。
【００４６】
以上のようなコントローラスティック用後付操作具１の各部は、それぞれ適宜の材料、例えば、合成樹脂、金属等で構成することができる。
【００４７】
以上、本発明の実施の形態について説明したが、本発明は上記の実施の形態に限定されるものではなく、本発明の要旨の範囲内において適宜変形実施可能である。
【符号の説明】
【００４８】
１：    コントローラ
２：    スティック
３：    頭部
１０：    コントローラスティック用後付操作具
１１：    取付基部
１２：    ロッド部
１３：    操作部
１４：    位置決めナット
【要約】
【課題】コントローラスティックの操作高さを所定の範囲でユーザーが希望する任意の高さに調整することができるコントローラスティック用後付操作具を提供する。
【解決手段】機械の操作装置であるコントローラのスティック２の頭部３に着脱可能に取り付けることで、スティック２の操作高さHを変更するための後付操作具であり、スティック２の頭部３に対して着脱可能に装着される取付基部１１と、取付基部１１から、スティック２の軸線方向上方に伸び、外周に雄ネジ１２ｓを有するロッド部１２と、ロッド部１２の先端部にネジ結合される操作部１３とを備えている。取付基部１１と操作部１３との間には、ロッド部１２にネジ結合しかつ操作部１３の下面１３ｄと当接することで、ロッド部１２に対する操作部１３の位置決めおよび固定を行う位置決めナット１４が設けられている。
【選択図】図１【図１】
0006797507.tif 000002
【図２】
0006797507.tif 000003
【図３】
0006797507.tif 000004
【図４】
0006797507.tif 000005
【図５】
0006797507.tif 000006
【図６】
0006797507.tif 000007
【図７】
0006797507.tif 000008